(57)【要約】【課題】非重畳サンプリングパルス発生器とその信号生成方法に関するものであり、アクティブマトリクス表示器上に応用される。【解決手段】信号発生器には、パルス分散器３０、ガード信号発生器３２と論理演算回路３１とが含まれ、信号生成方法には、パルス分散器３０が起動パルスのトリガに応答して順に位相が異なる複数個のパルス信号ＳＲ０，ＳＲ１，…を生成し出力する工程と、ガード信号発生器３２が、第１レベルと第２レベルとの間で切換えを行なうガード信号を提供する工程と、論理演算回路３１が当該それらパルス信号と当該ガード信号とを受信して演算を実施して順に複数のサンプリング信号φ１，φ２，…を出力し、ガード信号が位置する第２レベルの時間に基づき隣り合う両サンプリング信号のサンプリング領域に時間間隔Ｔｄを備えさせて重畳を回避する工程とが備わっている。【選択図】  図３
2004157178.tif 000002
【特許請求の範囲】
【請求項１】
アクティブマトリクス表示器上に応用される非重畳サンプリングパルス発生器であり、
起動パルスのトリガに応答して順に複数個のパルス信号を生成するとともに、位相差が備わっている当該それらパルス信号をそれぞれ対応する出力端に出力するパルス分散器と、
ガード信号を生成し、当該ガード信号により第１レベルと第２レベルとの間で切換えが実施されるガード信号発生器と、
当該パルス分散器と当該ガード信号発生器とに電気的に接続しており、当該それらパルス信号と当該ガード信号とを受信して演算を実施し、順に複数のサンプリング信号を出力し、当該ガード信号箇所が位置する当該第２レベルの時間に基づき、隣り合う両サンプリング信号のサンプリング領域の関係に時間間隔を備えさせて重畳を回避する論理演算回路と
を備えていることを特徴とする非重畳サンプリングパルス信号発生器。
【請求項２】
当該パルス分散器は複数個のシフトレジスタが接続されて構成されていることを特徴とする請求項１記載の非重畳サンプリングパルス信号発生器。
【請求項３】
当該それらシフトレジスタは更に一対の相補刻時パルス信号に応答して操作され、当該ガード信号発生器が生成する当該ガード信号が位置する当該第２レベルの時間は当該一対の相補刻時パルス信号が実施する切換の変化縁領域をカバーしていることを特徴とする請求項２記載の非重畳サンプリングパルス信号発生器。
【請求項４】
当該論理演算回路には複数の論理積否定ゲートが含まれ、各論理積否定ゲートは複数個のパルス信号と当該ガード信号とをそれぞれ受信して論理演算を実施することにより、それに対応するサンプリング信号を出力することを特徴とする請求項１記載の非重畳サンプリングパルス信号発生器。
【請求項５】
使用される当該アクティブマトリクス表示器は薄膜トランジスタ液晶表示器であることを特徴とする請求項１記載の非重畳サンプリングパルス信号発生器。
【請求項６】
アクティブマトリクス表示器上に応用される非重畳サンプリングパルス信号の生成方法であり、
起動パルスのトリガに応答して順に位相が異なる複数個のパルス信号を生成するとともにそれぞれ出力する工程と、
第１レベルと第２レベルとの間で切換えが実施されるガード信号を提供する工程と、
当該それらパルス信号と当該ガード信号とを受信して演算を実施して順に複数のサンプリング信号を出力し、当該ガード信号箇所に位置する当該第２レベルの時間に基づき、隣り合う両サンプリング信号のサンプリング領域の関係に時間間隔を備えさせて重畳を回避する工程
とを備えていることを特徴とする非重畳サンプリングパルス信号の生成方法。
【請求項７】
更に一対の相補刻時パルス信号に対応して当該それらパルス信号が生成され、当該ガード信号が位置する当該第２レベルの時間は当該一対の相補刻時パルス信号が実施する切換の変化縁領域をカバーしていることを特徴とする請求項６記載の非重畳サンプリングパルス信号の生成方法。
【請求項８】
当該演算は論理積否定ゲート演算であることを特徴とする請求項６記載の非重畳サンプリングパルス信号の生成方法。
【請求項９】
使用される当該アクティブマトリクス表示器は薄膜トランジスタ液晶表示器であることを特徴とする請求項６記載の非重畳サンプリングパルス信号の生成方法。
【発明の詳細な説明】
【０００１】
【発明の属する技術分野】
本発明は非重畳サンプリングパルス信号発生器とその信号生成方法に関するものであり、特にアクティブマトリクス式表示器に応用される非重畳サンプリングパルス信号発生器とその信号生成方法に関するものである。
【０００２】
【従来の技術】
従来から常用されている薄膜トランジスタ液晶表示器の回路についてのブロック見取図を図１に示す。この回路において水平走査回路（ｈｏｒｉｚｏｎｔａｌｓｃａｎｎｉｎｇ  ｃｉｒｃｕｉｔ）１０は、順に複数個のサンプリングパルス（ｓａｍｐｌｉｎｇ  ｐｕｌｓｅ）φ１、φ２、…、φｎ（図中には未表示）を生成してスイッチング回路Ｓ１、Ｓ２、…、Ｓｎ（図中には未表示）の導通または遮断を制御することにより、画像データ信号ＳＩＧを選択的にデータ線Ｙ１、Ｙ２、…、Ｙｎ（図中には未表示）のいずれか一つに伝送し、画像データ更新を行っている。
【０００３】
【発明が解決しようとする課題】
しかしながら、前記サンプリングパルスφ１、φ２は理想的にはパルスφ２の波形立上りはパルスφ１の波形立下りの変化が完了後に生成されるべきであるが、図２に示されるように、製造工程上における当初からの問題により、従来の水平走査回路１０では、パルスφ１の波形立下りの変化がまだ完了していない時点でパルスφ２の波形立上りがすでに生成されるという事態がしばしば発生している。このように、パルスφ１とパルスφ２との間に重畳領域２０が生成されるため、画像データ信号ＳＩＧは同時に２本のデータ線Ｙ１、Ｙ２上に出力されることになり、データ入力にミスが発生し、画像の歪みが引き起こされる。このような欠陥を改善するが、本発明の目的である。
【０００４】
【課題を解決するための手段】
本発明は非重畳サンプリングパルス発生器に関するものであり、アクティブマトリクス表示器に応用される。当該信号発生器には、起動パルスのトリガに応答して順に複数個のパルス信号を生成するとともに、位相差が備わっている当該それらパルス信号をそれぞれ対応する出力端に出力するパルス分散器と、ガード信号を生成し、当該ガード信号により第１レベルと第２レベルとの間で切換えが実施されるガード信号発生器と、当該パルス分散器と当該ガード信号発生器とに電気的に接続しており、当該それらパルス信号と当該ガード信号とを受信して演算を実施し、順に複数のサンプリング信号を出力し、当該ガード信号箇所が位置する当該第２レベルの時間に基づき、隣り合う両サンプリング信号のサンプリング領域の関係に時間間隔を備えさせて重畳を回避する論理演算回路とが備わっている。
【０００５】
前記構想に基づき、本発明で言及されている非重畳サンプリングパルス信号発生器について、当該パルス分散器は複数個のシフトレジスタが接続されて構成されている。
【０００６】
前記構想に基づき、本発明で言及されている非重畳サンプリングパルス信号発生器について、当該それらシフトレジスタは更に一対の相補刻時パルス信号に応答して操作され、当該ガード信号発生器が生成する当該ガード信号が位置する当該第２レベルの時間は当該一対の相補刻時パルス信号が実施する切換の変化縁領域をカバーしている。
【０００７】
前記構想に基づき、本発明で言及されている非重畳サンプリングパルス信号発生器について、当該論理演算回路には複数の論理積否定ゲートが含まれ、各論理積否定ゲートは複数個のパルス信号と当該ガード信号とをそれぞれ受信して論理演算を実施することにより、それに対応するサンプリング信号を出力する。
【０００８】
前記構想に基づき、本発明で言及されている非重畳サンプリングパルス信号発生器について、使用される当該アクティブマトリクス表示器は薄膜トランジスタ液晶表示器である。
【０００９】
本発明のもう一つの面は非重畳サンプリングパルス信号の生成方法に関するものであり、アクティブマトリクス表示器上に応用される。当該信号生成方法には、起動パルスのトリガに応答して順に位相が異なる複数個のパルス信号を生成するとともにそれぞれ出力する工程と、第１レベルと第２レベルとの間で切換えが実施されるガード信号を提供する工程と、当該それらパルス信号と当該ガード信号とを受信して演算を実施して順に複数のサンプリング信号を出力し、当該ガード信号箇所に位置する当該第２レベルの時間に基づき、隣り合う両サンプリング信号のサンプリング領域の関係に時間間隔を備えさせて重畳を回避する工程とが備わっている。
【００１０】
前記構想に基づき、本発明で言及されている非重畳サンプリングパルス信号の生成方法について、更に一対の相補刻時パルス信号に対応して当該それらパルス信号が生成され、当該ガード信号が位置する当該第２レベルの時間は当該一対の相補刻時パルス信号が実施する切換の変化縁領域をカバーしている。
【００１１】
前記構想に基づき、本発明で言及されている非重畳サンプリングパルス信号の生成方法について、当該演算は論理積否定ゲート演算である。
【００１２】
前記構想に基づき、本発明で言及されている非重畳サンプリングパルス信号の生成方法について、使用される当該アクティブマトリクス表示器は薄膜トランジスタ液晶表示器である。
【００１３】
本発明については下記図面と詳細説明により、更に深く理解されるものと考える。
【００１４】
【発明の実施の形態】
図３に示されているのは、本発明により発展した非重畳サンプリングパルス信号発生器の適正実施例の見取図である。そのうちパルス分散器３０は本実施例では複数のシフトレジスタ３０１、３０２、３０３…などが接続されて構成されており、主に起動パルスＳＴＨのトリガと一対の相補刻時パルス信号ＣＬＫ１、ＣＬＫ２の制御に応答して順に位相が異なる複数のパルス信号を生成し、それぞれ対応する出力端ＳＲ０、ＳＲ１、ＳＲ２…などに出力する。その関連する波形は図４（ａ）に示されている波形見取図の通りである。起動パルスＳＴＨの高レベル領域に刻時パルス信号ＣＬＫ１（またはＣＬＫ２）の１か所以上の変化縁が含まれている場合、生成されるパルス信号ＳＲ０、ＳＲ１、ＳＲ２…の高レベルには重畳現象が発生する。本実施例において、起動パルスＳＴＨの高レベル領域は刻時パルス信号ＣＬＫ１（またはＣＬＫ２）の２か所の変化縁をカバーしているため、隣り合うパルス信号ＳＲ０、ＳＲ１、ＳＲ２…の高レベルには重畳現象が発生する（図４（ｂ）に示されている通り）。従って、本実施例において、論理演算回路３１中の各論理積否定ゲート３１１、３１２、３１３…などはそれぞれ高レベルで重畳現象が発生した隣り合うパルス信号を受信して論理演算を実施し、それに対応するφ１、φ２、φ３…などのサンプリング信号を出力する。
【００１５】
出力されるサンプリング信号に重畳が発生することによりデータ入力にミスが生じて画像の歪みが引き起こされることがないことを確保するため、本発明人はガード信号発生器３２を提供して、この欠点を改善している。ガード信号発生器３２は各論理積否定ゲートに接続されているとともにガード信号を発生する。図４（ｃ）に示されている通りである。当該ガード信号は高レベルと低レベルとの間で切換えを実施するが、当該ガード信号が低レベルに位置する時間Ｔｄは当該一対の相補刻時パルス信号が切換えを実施する変化縁領域をカバーしており、その他時間は高レベルに位置している。このようにして、隣り合う両サンプリング信号のサンプリング領域の関係は時間間隔Ｔｄを備えるようになり重畳は回避され、公知手段の欠点は効果的に解決される。当該サンプリング信号は改めてレベル調整回路３３の作用を受けた後、一対の相補切換パルス（Ｓｗｉｔｃｈｉｎｇｐｕｌｓｅ）Ｓ１１、Ｓ１２（またはＳ２１、Ｓ２２とＳ３１、Ｓ３２など）を形成することにより、伝送ゲート（Ｔｒａｎｓｍｉｓｓｉｏｎ  Ｇａｔｅ）が実施するスイッチ３４１、３４２、３４３…などの切換が制御される。レベル調整回路３３は主に複数のインバータが接続されて形成されている緩衝器であり、サンプリング信号を適当なレベルに調整してスイッチの切換えを駆動する。そして相互に逆位相である切換パルス（Ｓｗｉｔｃｈｉｎｇ  ｐｕｌｓｅ）Ｓ１１、Ｓ１２（またはＳ２１、Ｓ２２とＳ３１、Ｓ３２など）の間の同期を図るため、レベル調整回路３３中にはリングインバータ３３１（ｒｉｎｇ  ｉｎｖｅｒｔｅｒ）が設置されてこの目的が達成されている。
【００１６】
前記の通り、本発明により発展した非重畳サンプリングパルス信号発生器は公知の薄膜トランジスタ液晶表示器における信号の重畳により画像の歪みが引き起こされるという欠点が解決されており、技術も広範に各種のアクティブマトリクス表示器中に応用可能である。本発明は当該記述に習熟した技術者であれば任意に各種装飾を施すことが可能であるが、それらが添付の特許請求範囲を逸脱するものではない場合、本発明は保護されるべきであることは言うまでもない。
【図面の簡単な説明】
【図１】現在常用されている薄膜トランジスタ液晶表示器の回路についてのブロック見取図。
【図２】前記サンプリングパルスφ１、φ２の波形見取図。
【図３】本発明により発展した非重畳サンプリングパルス信号発生器の適正実施例の見取図。
【図４】（ａ）（ｂ）（ｃ）本発明の適正実施例における波形見取図。
【符号の説明】
１０  水平走査回路
２０  重畳領域
３０  パルス分散器
３１  論理演算回路
３３  レベル調整回路
３２  ガード信号発生器
３０１，３０２，３０３  シフトレジスタ
３１１，３１２，３１３  論理積否定ゲート
３３１  リングインバータ
３４１，３４２，３４３  スイッチ
Ｓ１，Ｓ２  スイッチング回路
Ｙ１，Ｙ２  データ線
【図１】
2004157178.tif 000003
【図２】
2004157178.tif 000004
【図３】
2004157178.tif 000005
【図４】
2004157178.tif 000006